(57)【要約】【課題】    有機ハロゲン化合物とアルカリ金属を接触させて有機ハロゲン化合物を分解処理する方法において、分解反応を安定に進行させることができる有機ハロゲン化合物の反応希釈油、及びアルカリ金属の分散油を提供すること。【解決手段】パラフィン系原油の常圧残さ油の減圧蒸留留分を、溶剤精製、水素化精製を行って得られる鉱油等であって、４０℃における動粘度が５〜１５ｍｍ2／ｓであり、ＡＳＴＭ  Ｄ  ２００７に規定されるクレーゲル分析による極性物質が０．１５質量％以下の鉱油からなる有機ハロゲン化合物の分解処理における反応希釈油及びアルカリ金属分散油である。【選択図】  なし【特許請求の範囲】
【請求項１】
パラフィン系原油の常圧残さ油の減圧蒸留留分を、溶剤精製し、次いで水素化精製を行って得られる鉱油、或いは前記常圧残さ油の減圧蒸留留分を水素化改質精製処理を行って得られる鉱油であって、４０℃における動粘度が５〜１５ｍｍ2／ｓであり、ＡＳＴＭ  Ｄ  ２００７に規定されるクレーゲル分析による極性物質が０．１５質量％以下の鉱油からなる有機ハロゲン化合物の分解処理における反応希釈油。
【請求項２】
硫黄分が２００質量ｐｐｍ以下である請求項１に記載の有機ハロゲン化合物の分解処理における反応希釈油。
【請求項３】
芳香族分が２０質量％以下である請求項１又は２に記載の有機ハロゲン化合物の分解処理における反応希釈油。
【請求項４】
窒素分が１０質量ｐｐｍ以下である請求項１〜３のいずれかに記載の有機ハロゲン化合物の分解処理における反応希釈油。
【請求項５】
パラフィン系原油の常圧残さ油の減圧蒸留留分を、溶剤精製し、次いで水素化精製を行って得られる鉱油、或いは前記常圧残さ油の減圧蒸留留分を水素化改質精製処理を行って得られる鉱油であって、４０℃における動粘度が５〜１５ｍｍ2／ｓであり、ＡＳＴＭ  Ｄ  ２００７に規定されるクレーゲル分析による極性物質が０．１５質量％以下の鉱油からなる有機ハロゲン化合物の分解処理におけるアルカリ金属分散油。
【請求項６】
硫黄分が２００質量ｐｐｍ以下である請求項５に記載の有機ハロゲン化合物の分解処理におけるアルカリ金属分散油。
【請求項７】
芳香族分が２０質量％以下である請求項５又は６に記載の有機ハロゲン化合物の分解処理におけるアルカリ金属分散油。
【請求項８】
窒素分が１０質量ｐｐｍ以下である請求項５〜７のいずれかに記載の有機ハロゲン化合物の分解処理における反応希釈油及びアルカリ金属分散油。
【請求項９】
請求項１〜４のいずれかに記載の反応希釈油及び請求項５〜８のいずれかに記載のアルカリ金属分散油を用いて有機ハロゲン化合物の分解反応を行う有機ハロゲン化合物の分解処理方法。
【発明の詳細な説明】
【技術分野】
【０００１】
本発明は、有機ハロゲン化合物の分解処理における反応希釈油及びアルカリ金属分散油、詳しくは、ポリ塩化ビフェニル等の有機ハロゲン化合物を脱塩素化して分解処理する際に使用する有機ハロゲン化合物の反応希釈油及びアルカリ金属を分散する分散油に関する。
【背景技術】
【０００２】
ポリ塩化ビフェニル（以下、「ＰＣＢ」と略することがある）等の有機ハロゲン化合物は非常に安定で難分解性であるため、これを効率的、経済的に分解する方法を開発することが課題になっている。
このようなＰＣＢ等の有機ハロゲン化合物の分解，処理の手段として、有機ハロゲン化合物をアルカリ金属と反応させて、処理する方法が開発されている（例えば、特許文献１〜３参照）。この場合、通常有機ハロゲン化合物とアルカリ金属との接触効率を高めるために、有機ハロゲン化合物を希釈液で希釈し、またアルカリ金属を分散媒に分散させて反応させる。このような希釈液や分散媒として、絶縁油、ケロシン、重油、潤滑油などを使う例があり、例えば、ＰＣＢを含む絶縁油と絶縁油に分散させたアルカリ金属分散体を接触させるとともに、イソプロピルアルコール等の反応促進剤を添加し、その後、有機ハロゲン化合物とアルカリ金属との反応によって生成した反応生成物を絶縁油と分離して抽出した後、絶縁油をさらに分離、回収する方法が提案されている（前記特許文献１参照）。
しかしながら、有機ハロゲン化合物を希釈する希釈液（反応希釈油）やアルカリ金属の分散媒（分散油）の種類によって、上記分解反応が著しく影響を受けることがある。例えば、何らかの理由により、分解反応時の温度上昇が一定化せず不安定になり、円滑な反応が妨げられることにより、ハロゲン化合物の分解率が低下するなどの問題を招来する。
【０００３】
【特許文献１】特開２０００−２４６２６６号公報
【特許文献２】特開２００１−２３１８８２号公報
【特許文献３】特開２００２−１８７８５８号公報
【発明の開示】
【発明が解決しようとする課題】
【０００４】
本発明は、このような状況下でなされたもので、有機ハロゲン化合物とアルカリ金属を接触させて有機ハロゲン化合物を分解処理する方法において、分解反応を安定に進行させることができる有機ハロゲン化合物の反応希釈油、及びアルカリ金属の分散油を提供することを目的とするものである。
【課題を解決するための手段】
【０００５】
本発明者らは、有機ハロゲン化合物の反応希釈油及びアルカリ金属分散油として、特定の性状を有する鉱油を用いることによって、その目的を達成できることを見出した。本発明はかかる知見に基づいて完成したものである。
【０００６】
すなわち、本発明は、
〔１〕パラフィン系原油の常圧残さ油の減圧蒸留留分を、溶剤精製し、次いで水素化精製を行って得られる鉱油、或いは前記常圧残さ油の減圧蒸留留分を水素化改質精製処理を行って得られる鉱油であって、４０℃における動粘度が５〜１５ｍｍ2／ｓであり、ＡＳＴＭ  Ｄ  ２００７に規定されるクレーゲル分析による極性物質が０．１５質量％以下の鉱油からなる有機ハロゲン化合物の分解処理における反応希釈油、
〔２〕硫黄分が２００質量ｐｐｍ以下である前記１に記載の有機ハロゲン化合物の分解処理における反応希釈油、
〔３〕芳香族分が２０質量％以下である前記１又は２に記載の有機ハロゲン化合物の分解処理における反応希釈油、
〔４〕窒素分が１０質量ｐｐｍ以下である前記１〜３のいずれかに記載の有機ハロゲン化合物の分解処理における反応希釈油、
〔５〕パラフィン系原油の常圧残さ油の減圧蒸留留分を、溶剤精製し、次いで水素化精製を行って得られる鉱油、或いは前記常圧残さ油の減圧蒸留留分を水素化改質精製処理を行って得られる鉱油であって、４０℃における動粘度が５〜１５ｍｍ2／ｓであり、ＡＳＴＭ  Ｄ  ２００７に規定されるクレーゲル分析による極性物質が０．１５質量％以下の鉱油からなる有機ハロゲン化合物の分解処理におけるアルカリ金属分散油、
〔６〕硫黄分が２００質量ｐｐｍ以下である前記５に記載の有機ハロゲン化合物の分解処理におけるアルカリ金属分散油、
〔７〕芳香族分が２０質量％以下である前記５又は６に記載の有機ハロゲン化合物の分解処理におけるアルカリ金属分散油、
〔８〕窒素分が１０質量ｐｐｍ以下である前記５〜７のいずれかに記載の有機ハロゲン化合物の分解処理における反応希釈油及びアルカリ金属分散油、
〔９〕前記１〜４のいずれかに記載の反応希釈油及び前記５〜８のいずれかに記載のアルカリ金属分散油を用いて有機ハロゲン化合物の分解反応を行う有機ハロゲン化合物の分解処理方法、
を提供するものである。
【発明の効果】
【０００７】
本発明の有機ハロゲン化合物の反応希釈油及びアルカリ金属分散油を用いれば、有機ハロゲン化合物とアルカリ金属を接触させて有機ハロゲン化合物を分解する反応が安定に進行させることができ、従って、有機ハロゲン化合物の分解性を高めることができる効果がある。
【発明を実施するための最良の形態】
【０００８】
本発明は、有機ハロゲン化合物とアルカリ金属を接触させて有機ハロゲン化合物を分解処理する方法であって、有機ハロゲン化合物の反応希釈油及びアルカリ金属分散油として特定の性状を有する鉱油を使用するものである。
本発明における分解の対象となる有機ハロゲン化合物としては、一般的に脱ハロゲン化反応が困難なハロゲン化合物が挙げられる。かかる難分解性ハロゲン化合物としては、例えば、ＰＣＢ、ダイオキシン類、ポリ塩素化ベンゾフラン類、ポリ塩素化ベンゼン、ＤＤＴ等の芳香族ハロゲン化合物やＢＨＣ等の脂環族ハロゲン化合物が挙げられる。
本発明に用いられるアルカリ金属としては、例えば、ナトリウム、カリウム、リチウム、セシウム及びこれらの合金等が挙げられるが、ナトリウムが特に好ましい。
【０００９】
本発明に用いる有機ハロゲン化合物の反応希釈油及びアルカリ金属分散油に用いられる分散油としては、以下の性状を満たすことが必要である。すなわち、
（１）４０℃における動粘度が５〜１５ｍｍ2／ｓ、好ましくは６〜１０ｍｍ2／ｓの鉱油である。動粘度が５ｍｍ2／ｓ未満であれば、引火、発火の恐れがあり好ましくない。また、動粘度が１５ｍｍ2／ｓを超えると、被処理物やアルカリ金属の相溶性が低下するため反応の促進が妨げられる恐れがある。
また、鉱油であるのは、安定に、かつ経済的に入手が可能だからである。
【００１０】
ここでいう鉱油は、パラフィン系原油の常圧残さ油の減圧蒸留留分を、溶剤精製し、次いで水素化精製を行って得られる鉱油、及び前記常圧残さ油の減圧蒸留留分を水素化改質精製処理を行って得られる鉱油である。このような製造方法であれば、本発明で使用できる鉱油を容易に得ることができる。
（２）ＡＳＴＭ  Ｄ  ２００７に規定されるクレーゲル分析による極性物質が０．１５質量％以下である必要があり、好ましくは０．１２質量％以下である。
極性物質が０．１５質量％を超えると、反応中の温度上昇が一定にならない現象が現れるなど、分解反応が不安定になる。そのため分解反応が円滑に進行しなくなる可能性が高くなる。この原因については、クレーゲル分析による極性物質が金属ナトリウムと反応し、分解反応を妨げるためと推定される。
【００１１】
本発明に用いる反応希釈油及びアルカリ金属分散油は、以上の条件を満たせば目的を達成できるが、さらに（３）〜（５）の条件を満たすことが好ましい。すなわち
（３）硫黄分が２００質量ｐｐｍ以下、さらには７０質量ｐｐｍ以下である。硫黄分が２００質量ｐｐｍを超えると、分解反応中の温度上昇が一定にならない現象が現れるなど、分解反応が不安定になる恐れがある。なお、硫黄分はＪＩＳ  Ｋ  ２５４１によって測定した値である。
（４）芳香族分が２０質量％以下である。この芳香族分が２０質量％を超えると分解反応中の温度上昇が一定にならない現象が現れるなど、分解反応が不安定になる恐れがある。なお、この芳香族分は、ＡＳＴＭ  Ｄ  ２００７に規定されるクレーゲル分析によって測定した値である
（５）窒素分が１０質量ｐｐｍ以下、さらには５質量ｐｐｍ以下である。窒素分が１０質量ｐｐｍを超えると、分解反応が不安定になる恐れがある。なお、この窒素分は
ＪＩＳ  Ｋ  ２６０９によって測定した全窒素分である。
【００１２】
本発明における有機ハロゲン化合物の分解処理方法は、上記鉱油を反応希釈油及び分散油として分解反応を行う方法である。具体的には、ＰＣＢ等の有機ハロゲン化合物を鉱油で希釈し、またアルカリ金属を鉱油に分散させたアルカリ金属を、常温又は加温下で混合することによって、反応させる。
この場合、反応希釈油及びアルカリ金属分散油として、通常同一の鉱油を使用するが、上述の性状を満たす範囲内であれば異なる性状の鉱油を用いても良い。
また、反応希釈油及び分散油中のアルカリ金属濃度については、特に制限はないが、通常５〜２０質量％であることが好ましい。また、反応温度はおよそ５０〜１４０℃程度であることが好ましい。
【実施例】
【００１３】
次に実施例により本発明を詳しく説明するが、本発明はこれらの例によって何ら制限されるものではない。
〔鉱油の調整〕
製造例１（実施例１）
パラフィン系原油を常圧蒸留し、その残さ油を減圧蒸留して得られた留分を、溶剤精製し、次いで水素化精製を行い鉱油１を得た。
製造例２（実施例２）
パラフィン系原油を常圧蒸留し、その残さ油を減圧蒸留して得られた留分を、水素化改質精製処理を行い鉱油２を得た。
製造例３（比較例１）
ナフテン系原油を減圧蒸留し、減圧蒸留して得られた留分を、溶剤精製し、次いで水素化精製し、さらに活性白土処理を行い鉱油３を得た。
製造例４（比較例２）
ナフテン系原油を減圧蒸留し、減圧蒸留して得られた留分を、溶剤精製し、次いでアルカリ中和処理を行い鉱油４を得た
【００１４】
〔有機ハロゲン化合物の分解実験〕
上記の鉱油を反応希釈油とし、これにＰＣＢを１０重量％混合した被分解物溶液を用意した。また、一方分散油として同じ鉱油を用いて金属ナトリウムを１０重量％混合分散させた金属ナトリウム分散体溶液を調製した。次いで窒素ガス雰囲気下にて、金属ナトリウム分散体溶液に被分解物溶液を、一定の速度で滴下しながら１時間３０分攪拌しながら反応させた。
上記の反応開始から反応終了までの温度上昇の安定性を確認した。評価基準は、温度上昇速度が、ほぼ一定の場合を○（良好）、不規則になる場合を×（不良）と判定した。
実施例１、２及び比較例１、２
第１表に各鉱油の性状、及びＰＣＢの分解実験の結果を示す。
【００１５】
【表１】
2006075591.tif 000002
【産業上の利用可能性】
【００１６】
本発明の有機ハロゲン化合物の反応希釈油及びアルカリ金属分散油によれば、有機ハロゲン化合物とアルカリ金属を接触させて有機ハロゲン化合物を分解処理する方法において、分解反応を安定に進行させることができるため、難燃性有機ハロゲン化合物の分解反応に有効に利用できる。